(57)【要約】      （修正有）【課題】一台でパンチと用紙綴じとが同時に出来ると共に、パンチと用紙綴じを個別に使用出来る事務製品を提供する。【解決手段】穴あけパンチに使用している台座１の両穴あけシリンダー刃の中央に当たる位置にクリンチャー８を固定し、ステープル打出カートリッジ３を正確な位置に容易に装着、取り出しが出来ると共に、台座に取り付けたアーム４の作動により、ステープラーのみの使用が出来る。叉、上面パネル２の作動により、それに連動した第２のアーム５も作動し、パンチと共にステープラーが働き、穴あけと同時に用紙を綴じる事が出来る。一方用紙綴じを必要としない場合は、第２のアーム位置を代える事によってパンチのみが作動し、用紙に穴だけをあける事が出来るような構造にした事を特徴とする。【選択図】図１
0003156771.tif 000002
【実用新案登録請求の範囲】
【請求項１】
２穴あけパンチャーの台座中央上部にステープラーのクリンチャー（針受け部）、及びステープル打出しカートリッジ（以下、カートリッジと表示）の前方固定とカートリッジを押し下げるためのアームが台座に取り付けられたシリンダーを通して設けられ、一方台座中央には、台座底部からカートリッジの先端をパンチ用用紙のスペース分まで持ち上げるスプリングを持ち、台座中央下部には、カートリッジの後方固定をするための外枠と突起を持ち、上記台座に取り付けたアームによってカートリッジを押し下げ、ステープルを打つことが出来、且カートリッジの着脱が容易な構造を持つ。
【請求項２】
請求項１に記載の２穴あけパンチャーの上面パネルに、カートリッジの先端を押し下げるための第２のアームを取り付け、第２のアームの移動により、カートリッジ作動の選択が出来、第２のアームの移動と上面パネルの作動により、パンチャーとステープラーの同時使用、叉はパンチャーのみを使用する事の出来る構造を持つ。
【請求項３】
請求項１に記載の２穴あけパンチャーの台座前方に、用紙の前方を綴じるための指標が表示されている。
【請求項４】
請求項１に記載のカートリッジは前方両側に矩形窓が有り、ステープルの残量を見る事が出来る。
【考案の詳細な説明】
【技術分野】
【０００１】  本考案は従来の２つ穴パンチャーの機能に加え、ステープラーの機能、及びパンチャーとステープラーの作動により、パンチと用紙綴じを同時に行い、ファイリングの効率化を図ることを目的としている。
【背景技術】
【０００２】  パンチと用紙綴じとを同時に出来ると共に、パンチと用紙綴じを個別に使用出来る事務製品は従来から望まれており、叉この種の特許、実用新案が出願されているが、商品性、実現性、汎用性、生産性等の面で今だ製品に至らないのが現状である。
【考案の開示】
【考案が解決しようとする課題】
【０００３】  この問題を解決するに当たり、穴あけパンチに使用している台座の両穴あけシリンダー刃の中央に当たる位置にクリンチャーを固定し、ステープル打出し部カートリッジを正確な位置に容易に装着、取り出しが出来ると共に、台座に取り付けたアームの作動により、ステープラーのみの使用が出来る。叉、上面パネルの作動により、それに連動した第２のアームも作動し、パンチと共にステープラーが働き、穴あけと同時に用紙を綴じる事が出来る。一方用紙綴じを必要としない場合は、第２のアーム位置を代える事によってパンチのみが作動し、用紙に穴だけをあける事が出来るような構造にした事を特徴とする。
【課題を解決するための手段】
【０００４】  穴あけパンチに使用する２つの穴あけシリンダー刃１５の中央に位置する台座１の場所に、クリンチャー（針受け）８を固定し、ステープル打出しカートリッジ（以下、カートリッジと表示）３の前方固定とカートリッジを押し下げるための窓付きアーム４が台座に取り付けられたシリンダー９を通して設けられ、台座中央下部には、カートリッジ後方を固定するための外枠１２、スプリング１３と突起１４が設けられている。叉、ステープルの大小、即ちカートリッジの大きさに合わせ上記の外枠１２、スプリング１３の高さ、及び窓枠付きアームの幅を決定する。一方、穴あけパンチの上面パネル２にはカートリッジの先端を押し下げるための第２のアーム５と、アームの上部には切りかきノブ６があり、上面パネルに設けられたスリット７を通して取り付けられている。上記台座に取り付けた窓付きアームを押し下げる事よってカートリッジが作動し、ステープルを打つことの出来る。一方、第２のアームが中央にある場合は、上面パネルの作動と共に、このアームがカートリッジを押し下げるため、穴あけとステープラーが作動し、叉第２のアームがカートリッジ上から外れた場合は第２のアームのみが下がるためステープラーは作動しない。即ち第２のアームの移動により、パンチャーと同時にステープラーの使用、叉はパンチャーのみの使用を可能にする構造を特徴とする。
【考案の効果】
【０００５】  上記に記載のようにステープルが空になった場合のカートリッジの取り出し、及び装着が簡単、正確、且構造がシンプルなため製造コスト、生産性に富んでおり、叉消費者に対しても使い勝手の良い、便利な製品を提供出来る。
【考案を実施するための最良の形態】
【０００６】  以下、考案の実施形態に付き、図面と共に説明する。
図１は本考案のステープラーパンチャー全体を斜め後方上部から見たイラストである。【０００７】  図２中央はステープラーパンチャーの台座の正面、左、下は各側面図を示す。７は台座１への埋込クリンチャー（針受け部）で、クリンチャーのセンターが両穴あけシリンダー刃１５の内側から４０ｍｍの位置に取る。クリンチャーの高さが台座と同一平面になるような台座成型が望ましいが、台座の上記位置に、クリンチャーの針受け用溝大の２つの穴をあけて取り付けても用紙の挿入には支障をきたさない。図４において詳術するが、台座にはステープル打出し用カートリッジ（以下、カートリッジと表示）３の前方を支えるシリンダー１１と窓付きアーム４が取り付けられている。一方、台座の後方には突起１４があり、カートリッジ底部に設けられた角穴２０（叉は丸穴）に差し込まれることで、カートリッジの後方を固定すると共に、カートリッジ装着時にカートリッジ前方（ステープル打出し部）が正確にクリンチャーの真中に来るための位置出し用に使われる（図７参照）。この突起は台座上に切起しを作るか、叉は台座に穴をあけて底部より上面に取り付ける。外枠１２は装着されたカートリッジの左右の固定用で、１３は上記突起部迄、前方に送り出すためのスプリング板で、同時にカートリッジの上部の抑えも兼ねている。叉、ステープルの大小、即ちカートリッジの大きさに合わせ上記の外枠１２、スプリング１３の高さ、及び窓枠付きアームの幅を決定する。１７はカートリッジを用紙スペースの高さまで持ち上げるためのスプリング板で台座の裏側から取り付けられている。詳しい動作については後述する。１８は台座表面にプリントされた指標で、用紙の上面をステープラーによって綴じたい場合、この指標に沿って用紙を合わせ、ステープラー用アーム４、叉は上面パネル２を使用する。【０００８】  図３の３ａはカートリッジ３の構造を示す。現行のステープラーの外装を取り除いたステープル打出し部と同様の構造を持つ。１９は使用時のステープル残量をチェックするための矩形窓でカートリッジ両側に対称に空いている。３ｂはカートリッジを使用可能な状態にロックした図を示す。３ｃはカートリッジの底部図面で、図２で述べたカートリッジ位置出し用の角穴２０が準備されている。【０００９】  図４中央はステープル打出カートリッジ３を装着したときの図面を示す。右は主要部品の取り付けが良く見えるように示した側面図である。下は前方から見た側面図を示す。カートリッジ３を押すための窓付きアーム４は、台座の両シリンダー刃１５を支える両支持板に取り付けられたシリンダー棒１１を通して中央に設置され、左右の動きを抑制するためにその両脇は止め輪１６で固定されている。この窓枠を通してカートリッジ頭部の一部が出て、窓枠の後方辺がカートリッジの上面に乗る構造となり、シリンダー棒１１から窓枠後方の寸法によりアームの角度が決まる。従って、ステープラー使用時にアームを押し下げた時、アームの角度がほぼ水平になる様な窓枠寸法と、台座表面に接触しない様なアームの高さに設計されている。１７はカートリッジをパンチする用紙の厚さまで持ち上げるスプリング板で台座の底部よりスリットを通し、上面に出ている。外枠１２スプリング板１３は前述の通りである。【００１０】  図５中央はカートリッジを押し下げるための第２のアーム５を示す。左右、上下の４つは、アームを左、右、上、下の角度から見た時のそれぞれの図面を表す。第２のアーム５は、このアームを上面パネル２の上面から移動させるための切りかきノブ６を持ち、内側にはアームを上面パネル２の底面位置に保持すると共にアームの落下を防止するためのスプリング板２１が取り付けられている。【００１１】図６は上面パネル２に上記第２のアーム４を取り付けた状態示したもので、左、及び下図は、それぞれの側面を表す。切りかきノブ６は７のスリットを通して上面パネル２の上面に出ており、ステープラーとパンチャーの同時使用、叉はパンチャーのみの使用に対する切り替スイッチとして使われる。叉、上面パネル２に取り付けられている押し下げシリンダー８の上にスプリング板２１を位置させる事で、図５に記載したように、スプリングの効果によって上面パネル２の底面位置に保持されると同時に落下も防止している。【００１２】図７の上はカートリッジ３とアーム４、及び第２のアーム５の位置関係を図示したもので、実線はアーム４及び、上面パネルに取り付けた第２のアームが、カートリッジを下方へ押し下げる前の状態を、点線は押し下げた時の位置を示す。押し下げる前ではカートリッジは、台座１の底部に取り付けられたスプリング板１７により用紙スペースの上部まで持ち上げられている。次にアーム４及び第２のアーム５を押し下げる事によってカートリッジの底面は、台座の上面迄下がり、続いてカートリッジ上部が、ステープルを打ち終える迄下がり停止する。この間のスペースはステープルを完全に打ち終えるために、押し下げシリンダー刃が完全に下がる位置より１〜２ｍｍ短く取る。下図右は上記スプリング板１７の動作を示したものである。下図左側は図２で述べたように、台座と一体となった突起部分がカートリッジ底部に設けられた角穴に差し込まれ、その後面に取り付けられたスプリング板１３の効果によって、カートリッジの角穴の後部が突起部分で止まると同時に、カートリッジ上部を押さえる役割を果している。スプリング板１３と友締めされている外枠１２は、前記の如く、カートリッジ後部の左右への動きを抑止するために設けられている。【００１３】  図８の左上は、上記切りかきノブ６をスリット７の左端（上面パネルの真中）にした時、第２のアーム５がカートリッジの真上に来る図を表し、左下は、この状態で上面パネル２を下げると、第２のアームを通してカートリッジ下がることで、ステープラーとパンチャーが同時に作動する図を表している。右上は、切りかきノブ６をスリット７の右端にした時、アームがカートリッジからそれる図を表し、右下は、この状態で上面パネルを下げても、カートリッジを押し下げる事は無く、即ちパンチャーのみが作動する図を表している。
以上説明した通り、本考案は上記に述べた３ｉｎ１の役割を果し、現行商品の金型の僅かな変更と汎用部品の使用により、安定した商品を低コストと簡単な組立で製造出来る。一方、企業に限らず、一般消費者にとってもファイリング効率を高める点で重要な商品と言える。
【図面の簡単な説明】
【００１４】
【図１】ファイル用ステープラーパンチャー外観図
【図２】中央図  台座、及びカートリッジ押し下げ用窓付きアーム  左図  左側面図  下図  後部側面図
【図３】ステープル打出カートリッジ
【図４】ステープル打出カートリッジ装着図
【図５】ステープル打出カートリッジ押し下げ用第２アーム
【図６】第２アームの上面パネルへの取り付け図
【図７】カートリッジとアーム、及び第２アームの位置
【図８】左図  ステープラーとパンチャー同時作動図  右図  パンチャー作動図
【符号の説明】
【００１５】１  台座
２  上面パネル
３  ステープル打出カートリッジ
４  カートリッジ押し下げ用窓付きアーム
５  カートリッジ押し下げ用第２アーム
６  切りかきノブ
７  スリット
８  クリンチャー（針受け）
９  アーム固定用シリンダー
１０  押し下げシリンダー
１１  台座上面パネル軸受けシリンダー
１２  外枠
１３  スプリング板
１４  突起部
１５  穴あけシリンダー刃
１６  止輪（Ｅリング）
１７  スプリング板
１７  カートリッジスペース（台座抜き型）
１８  指標
１９  ステープル残量確認窓
２０  角穴
２１  スプリング板
【図１】
0003156771.tif 000003
【図２】
0003156771.tif 000004
【図３】
0003156771.tif 000005
【図４】
0003156771.tif 000006
【図５】
0003156771.tif 000007
【図６】
0003156771.tif 000008
【図７】
0003156771.tif 000009
【図８】
0003156771.tif 000010
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
２穴あけパンチャーの台座１の中央にステープル打出しカートリッジ３（以下、カートリッジ３と表示）と中央上部にステープラーのクリンチャー（針受け部）８を取り付け、一方台座１の中央上部にアーム４を取り付け、アーム４の上下作動によって、カートリッジ３の前部が下に押され、穴あけ用上面パネル２を作動させることなく、ステープルを打つことの出来る２穴あけパンチャー。
【請求項２】
請求項１に記載の穴あけ用上面パネル２の中央上部にカートリッジ３の前部を押し下げるための第２のアーム５を取り付け、上面パネル２を押し下げることによって、パンチャーとステープラーが同時に使用出来、且第２のアーム５をカートリッジ３の前部から外側に移動させ、上面パネル２を押し下げることによって、カートリッジを作動させることなくパンチャーのみが使用出来る２穴あけパンチャー。
【請求項３】
請求項２に記載のパンチャーとステープラーが同時に使用出来る状態で、穴あけ用上面パネル２を押し下げることによって、穴あけ部を避けてステープラーのみを使用出来るための指標１８が表示されている請求項１に記載の２穴あけパンチャー。
【手続補正書】
【提出日】平成21年5月19日(2009.5.19)
【手続補正１】
【補正対象書類名】実用新案登録請求の範囲
【補正対象項目名】全文
【補正方法】変更
【補正の内容】
【実用新案登録請求の範囲】
【請求項１】
台座１と台座１に取り付けられた２つの穴あけ用シリンダー刃１５、及び上面パネル２で構成される通常の２穴あけパンチャーにおいて、台座１の２つの穴あけ用シリンダー刃１５の中央の位置にステープラーのクリンチャー（針受け部）８と、台座１の中央にステープル打出しカートリッジ３（以下カートリッジ３と表示）をカートリッジ３のステープル打出し頭部がクリンチャーの真中に位置するように取り付け、一方台座１のクリンチャー８より更に１０ミリメートル程度上方中央にシリンダー９を通してアーム４を取り付け、アーム４を押し下げることによって、カートリッジ３のステープル打出し部を押し下げ、クリンチャーと勘合するため、用紙をパンチャーの用紙スペースに差し込み、アーム４を押し下げることによって、（上面パネルの作動に関係なく）ステープルを打つことの出来る構造を持つ２穴あけパンチャー。
【請求項２】
請求項１に記載された２穴あけパンチャーの穴あけ用上面パネル２の中央上部に、上記台座１に取り付けられたカートリッジ３のステープル打出し部を押し下げるための第２のアーム５を取り付け、上面パネル２を押し下げることによって、第２のアームがステープル打出し部を押し下げ、クリンチャーと勘合するため、用紙をパンチャーの用紙スペースに差し込み、上面パネル２を押し下げることによって、（上記アーム４の作動に関係なく）ステープルを打つと同時に２つ穴をあけることが出来、且第２のアーム５をステープル打出し部に接触しない外側の位置に移動させ、上面パネルを押し下げると、第２のアーム５がステープル打出し頭部から逸れるため、ステープラーは作動せずに、２つ穴のみをあけることが出来る構造を持つ２穴あけパンチャー。
【請求項３】
請求項２に記載されたステープルを打つと同時に２つ穴をあけることが出来る第２のアーム５の位置において、上面パネル２を押し下げることによって、穴あけ部分を避けて用紙の角の部分を綴じるための指標１８が表示されている請求項１に記載の２穴あけパンチャー。
【手続補正書】
【提出日】平成21年7月28日(2009.7.28)
【手続補正１】
【補正対象書類名】実用新案登録請求の範囲
【補正対象項目名】全文
【補正方法】変更
【補正の内容】
【実用新案登録請求の範囲】
【請求項１】
台座１と台座１に取り付けられた２つの穴あけ用シリンダー刃１５、及び上面パネル２で構成され、上面パネル２を押し下げることによって２つの穴あけ用シリンダー刃１５が下に押され、２つの穴があく通常の２穴あけパンチャーにおいて、台座１の２つの穴あけ用シリンダー刃１５の中央の位置にステープラーのクリンチャー（針受け部）８と、台座１の中央にステープル打出しカートリッジ３（以下カートリッジ３と表示）をカートリッジ３のステープル打出し頭部がクリンチャーの真中に位置するように取り付け、一方台座１のクリンチャー８より更に１０ミリメートル程度上方中央にシリンダー９を通してアーム４を取り付け、アーム４を押し下げることによって、カートリッジ３のステープル打出し部が下に押され、ステープルを打つことの出来る構造を持つ２穴あけパンチャー。
【請求項２】
２穴あけパンチャーの穴あけ用上面パネル２の中央上部に、上記台座１に取り付けられたカートリッジ３のステープル打出し部を押し下げるための第２のアーム５を取り付け、上面パネル２を押し下げることによって、第２のアームがステープル打出し部を押し下げ、ステープルを打つと同時に２つ穴をあけることが出来、且第２のアーム５をステープル打出し部に接触しない外側の位置に移動させることで、ステープラーを作動させずに、２つ穴のみをあけることが出来る構造を持つ請求項１に記載の２穴あけパンチャー。
【請求項３】
請求項２に記載されたステープルを打つと同時に２つ穴をあけることが出来る第２のアーム５の位置において、上面パネル２を押し下げることによって、穴あけ部分を避けて用紙の角の部分を綴じるための指標１８が台座１の上部に表示されていることを特徴とする２穴あけパンチャー。
【手続補正書】
【提出日】平成21年10月22日(2009.10.22)
【手続補正１】
【補正対象書類名】実用新案登録請求の範囲
【補正対象項目名】請求項３
【補正方法】変更
【補正の内容】
【請求項３】
ステープルを打つと同時に２つ穴をあけることが出来る第２のアーム５の位置において、上面パネル２を押し下げることによって、穴あけ部分を避けて用紙の角の部分を綴じるための指標１８が台座１の上部に表示されていることを特徴とする請求項２に記載の２穴あけパンチャー。